(57)【要約】【課題】風雨の逆流を防止する棟換気用部材を提供する。【解決手段】上面部材Ｘ２と下面部材Ｙ３とは平行状態にて対向し、開口部４を有する接続部材Ｚ５によって一体的に連結されている。そして上面部材Ｘ２と下面部材Ｙ３との間隔Ｈ及び開口部４は屋内から上昇してくる換気流の換気路６として機能する。また、上面部材Ｘ２の一端には、下部に錘り７を有する回動自在の振り子状のダンパー８がヒンジ８Ａを介して軸支されている。これにより、一定以上の強い逆風が発生した場合には、その風力によってダンパー８が回動し、その先端部は下面部材Ｙ３の一端からなるストッパー９に当接して換気路６を閉鎖する。【選択図】          図１
2004324320.tif 000002
【特許請求の範囲】
【請求項１】
上面部材Ｘと下面部材Ｙとを、適宜間隔を置いて開口部を有する接続部材Ｚで連結してなり、該開口部及び前記上面部材Ｘと前記下面部材Ｙとの間隙を換気路とした棟換気用部材において、風力により前記換気路を閉鎖し得るダンパーを設けたことを特徴とする棟換気用部材。
【請求項２】
上面部材Ｘと下面部材Ｙとを、適宜間隔を置いて配置された接続部材Ｚで連結してなり、隣接する接続部材Ｚと接続部材Ｚとの間に形成される空間部及び前記上面部材Ｘと前記下面部材Ｙとの間隙を換気路とした棟換気用部材において、風力により前記換気路を閉鎖し得るダンパーを設けたことを特徴とする棟換気用部材。
【請求項３】
ダンパーが下部に錘りを備えた振り子状のダンパーからなる請求項１又は２記載の棟換気用部材。
【請求項４】
ダンパーが当接するストッパーが設けられている請求項１〜３のいずれか１項に記載の棟換気用部材。
【請求項５】
ダンパーに衝撃吸収部材が設けられている請求項１〜４のいずれか１項に記載の棟換気用部材。
【請求項６】
ストッパーに衝撃吸収部材が設けられている請求項４記載の棟換気用部材。
【請求項７】
下面部材Ｙに折り返し部が延設されている請求項２〜６のいずれか１項に記載の棟換気用部材。
【請求項８】
上面部材Ｘの表面にレベル調整材掛止部が突設されている請求項１〜７のいずれか１項に記載の棟換気用部材。
【請求項９】
上面部材Ｘが棟瓦の内側に沿った勾配に形成されている請求項１〜８のいずれか１項に記載の棟換気用部材。
【請求項１０】
風下側に棟木固定具との係合部が設けられている請求項１〜９のいずれか１項に記載の棟換気用部材。
【請求項１１】
下面部材Ｙの裏面にクッション材が設けられている請求項１〜１０のいずれか１項に記載の棟換気用部材。
【請求項１２】
アルミ又は樹脂を押出成形してなる請求項１〜１１のいずれか１項に記載の棟換気用部材。
【請求項１３】
請求項１〜１２のいずれか１項に記載の棟換気用部材を、棟瓦と地瓦との間に配設したことを特徴とする棟換気構造。
【請求項１４】
上面部材Ｘのレベル調整材掛止部にレベル調整材が充填されている請求項１３記載の棟換気構造。
【発明の詳細な説明】
【０００１】
【発明の属する技術分野】
本発明は、一般住宅をはじめとする建物屋根の棟部に設けられ、棟瓦と地瓦との隙間から換気する棟換気用部材及びこれを用いた棟換気構造に関する。
【０００２】
【従来の技術】
従来より、棟瓦と地瓦との隙間から換気する棟換気装置としては様々の形態のものが提案されている。
特に屋根の棟部に設けられた換気装置の代表例としては、図１８に示したような構造のものが知られている（例えば、特許文献１参照）。
【０００３】
これによれば、垂木や野地板などからなり両流れ屋根面を形成する屋根地３０の頂部には隙間が設けられ、この隙間は、屋根裏に滞留する熱気や臭気が自然上昇力によって上昇し最初に集合して通過する屋根換気通路３１となる。そして屋根換気通路３１を跨ぐように立設させた第１換気口４２を有する補助部材４３が設けられ、さらに、この補助部材４３の外側には隙間を設けて立設すると共に、第２換気口４４が穿設され、且つ中央に棟木３５を支持する棟木支持部材３６が設けられ、これら補助部材４３及び棟木支持部材３６は屋根地３０に釘等（図示せず）によって固定される。
【０００４】
一方、屋根地３０の頂部付近には桟木３７を固定した後、この桟木３７に沿って桟瓦（地瓦）３８が掛止される。さらに、この桟瓦３８のうえには密封部材４５を介して第３換気口４６及び第４換気口４７を有する通路形成部材４８が釘等（図示せず）によって棟木３５に固定される。そして、この通路形成部材４８の上に棟瓦３９が載置され、長寸釘、ビス等の固定具４９によって棟木３５に固定され、更に、この棟瓦３９の裏面と通路形成部材４８との間に換気通路５０が形成される。
【０００５】
かかる構成によって、屋根地の頂部に向かって下から上昇してくる空気は矢印Ｋで示したように屋根換気通路３１を通過した後、第１、第２換気口４２、４４をジグザグに通過し、さらに換気通路５０の第３、第４換気口４６、４７を通過して外に排出される（気流の流れを実線矢印で示す）。
【０００６】
【特許文献１】
特許２９０１１８０号公報
【０００７】
【発明が解決しようとする課題】
しかしながら、上記従来の換気棟装置においては、通常は下から屋根地の頂部に向かって上昇する熱気・湿気・臭気等を伴う汚染空気は、屋根換気通路３１を通過し、続いて第１、第２換気口４２、４４をジグザグに通過し、最後に上面が棟瓦３９で形成される換気通路５０の第３、第４換気口４６、４７を通過して棟瓦３９の先端部から自然排出力によってスムーズに排出されるものであるが、一方、例えば、台風時のように異常に風雨が強いようなときには、桟瓦３８と棟瓦３９の瓦先端部５１とで形成される隙間から逆流する場合があるという問題があった。
【０００８】
更にまた、換気通路５０を形成するもう一方の側面は、鋼板等を板金加工して形成した通路形成部材４８であり、この部材の完成には、板金加工としてのせん断加工をはじめ、曲げ加工や孔明け加工等の工数大なる加工が必要で、必然的にコスト高になるという問題があった。
【０００９】
本発明は、上記諸課題に鑑み、台風時のように異常に風雨が強いようなときには、桟瓦（地瓦）と棟瓦の隙間からの侵入を防止し、耐風性・耐漏水性を改善する共に、部材コストの低減を図ることを目的する。
【００１０】
【課題を解決するための手段】
上記目的を達成するために、本発明の第１は、上面部材Ｘと下面部材Ｙとを、適宜間隔を置いて開口部を有する接続部材Ｚで連結してなり、該開口部及び前記上面部材Ｘと前記下面部材Ｙとの間隙を換気路とした棟換気用部材において、風力により前記換気路を閉鎖し得るダンパーを設けたことを特徴とする棟換気用部材を内容とする（請求項１）。
【００１１】
本発明の第２は、上面部材Ｘと下面部材Ｙとを、適宜間隔を置いて配置された接続部材Ｚで連結してなり、隣接する接続部材Ｚと接続部材Ｚとの間に形成される空間部及び前記上面部材Ｘと前記下面部材Ｙとの間隙を換気路とした棟換気用部材において、風力により前記換気路を閉鎖し得るダンパーを設けたことを特徴とする棟換気用部材を内容とする（請求項２）。
【００１２】
好ましい態様としての請求項３は、ダンパーが下部に錘りを備えた振り子状のダンパーからなる請求項１又は２記載の棟換気用部材である。
【００１３】
好ましい態様としての請求項４は、ダンパーが当接するストッパーが設けられている請求項１〜３のいずれか１項に記載の棟換気用部材である。
【００１４】
好ましい態様としての請求項５は、ダンパーに衝撃吸収部材が設けられている請求項１〜４のいずれか１項に記載の棟換気用部材である。
【００１５】
好ましい態様としての請求項６は、ストッパーに衝撃吸収部材が設けられている請求項４記載の棟換気用部材である。
【００１６】
好ましい態様としての請求項７は、下面部材Ｙに折り返し部が延設されている請求項２〜６のいずれか１項に記載の棟換気用部材である。
【００１７】
好ましい態様としての請求項８は、上面部材Ｘの表面にレベル調整材掛止部が突設されている請求項１〜７のいずれか１項に記載の棟換気用部材である。
【００１８】
好ましい態様としての請求項９は、上面部材Ｘが棟瓦の内側に沿った勾配に形成されている請求項１〜８のいずれか１項に記載の棟換気用部材である。
【００１９】
好ましい態様としての請求項１０は、風下側に棟木固定具との係合部が設けられている請求項１〜９のいずれか１項に記載の棟換気用部材。
【００２０】
好ましい態様としての請求項１１は、下面部材Ｙの裏面にクッション材が設けられている請求項１〜１０のいずれか１項に記載の棟換気用部材である。
【００２１】
好ましい態様としての請求項１２は、アルミ又は樹脂を押出成形してなる請求項１〜１１のいずれか１項に記載の棟換気用部材である。
【００２２】
本発明の第３は、請求項１〜１２のいずれか１項に記載の棟換気用部材を、棟瓦と地瓦との間に配設したことを特徴とする棟換気構造を内容とする（請求項１３）。
【００２３】
好ましい態様としての請求項１４は、上面部材Ｘのレベル調整材掛止部にレベル調整材が充填されている請求項１３記載の棟換気構造である。
【００２４】
【作用】
本発明の棟換気用部材及びこれを用いた棟換気構造は、上面部材Ｘとこれに対向し、且つ適宜間隔を置いて配設される下面部材Ｙとを、開口部を有する接続部材Ｚによって連結し、上面部材Ｘと下面部材Ｙとの間隙と、接続部材Ｚの開口部とは、屋内からの換気流が通過する換気路として機能させるとともに、風力により前記換気路を閉鎖しうるダンパーを設けたことを特徴とする。
【００２５】
かくして、通常の無風時や微風時には換気路は開口しており、一方、通常の換気流の流れとは反対に、逆流させようとする一定以上の風力が発生した際には、その風力によってダンパーが作動して換気路を閉鎖するものである。かかる構成によって、例えば、台風時のように外の風力が強く、逆流する方向に一定以上の風力が発生した際には、該ダンパーは換気路を即座に閉鎖してしまう一種の逆止弁のように作用し、屋内への風雨の侵入を効果的に防止する。
【００２６】
また、本発明の棟換気用部材は、例えば、穴開け加工を施した鋼板を折り曲げ加工して作製したり、また、例えば、上面部材Ｘをアルミ又は樹脂材料を押出成形加工し、下面部材Ｙと接続部材Ｚとを穴開け加工を施した鋼板を折り曲げ加工して作製し、複合化してもよいが、本発明の第１の棟換気用部材は、各部材Ｘ、Ｙ、Ｚを連結状態でアルミ又は樹脂材料を押出成形加工によって得、接続部材Ｚの開口部のみを後加工することにより、容易に且つ安価に棟換気用部材を製造することができる。
【００２７】
また、本発明の第２の棟換気用部材は、隣接する接続部材Ｚと接続部材Ｚとの間に空間部を形成してこれを換気路することにより、開口部を穿設加工する必要がなく、したがって、押出成形により一層容易に且つ安価に棟換気用部材を製造することができる。
【００２８】
また、下面部材Ｙに折り返し部を延設したことにより、上面部材Ｘ、下面部材Ｙ及び接続部材Ｚの固定を、必要に応じ、ビスによっても簡単に固着できるので施工性に優れ、また、矩形構造となるので構造強度が大巾に向上する。
【００２９】
また、上面部材Ｘの表面の長手方向にレベル調整材掛止部を突設したことにより、ここに葺土や漆喰等を置いて棟瓦や棟換気用部材の姿勢や位置を制御する際、葺土や漆喰等を載置し易く、はみ出さないので好都合である。
【００３０】
更に、棟換気用部材を形成する上面部材Ｘの端部に棟木固定具との係合部を設けたことにより、棟換気用部材を配設して葺土等を置きながら棟瓦を葺く際には、該係合部を支点に、棟換気用部材が回動して棟換気構造全体にわたっての不要な歪・応力を解消する働きがあり、よって耐久信頼性が一層向上する。
【００３１】
【発明の実施の形態】
以下、本発明の棟換気用部材及びこれを用いた棟換気構造の実施例を図面に基づいて説明するが、本発明はこれらにより何等限定されるものではない。
【００３２】
実施例１
本発明の実施例１における棟換気用部材１は、図１（ａ）、（ｂ）に示すように、平板状の上面部材Ｘ２と平板状で前記上面部材Ｘ２より幅を狭く形成した下面部材Ｙ３とは平行状態にて対向し、且つ、その間の間隔はＨ寸法隔てられ、開口部４を有する接続部材Ｚ５によって一体的に連結されている。そして上面部材Ｘ２と下面部材Ｙ３との間隔Ｈ及び開口部４は、屋内から上昇してくる換気流の換気路６として機能する。
【００３３】
また、上面部材Ｘ２の一端には、下部に錘り７を有する回動自在の振り子状のダンパー８がヒンジ８Ａを介して軸支されている。そして、一定以上の強い逆風が吹いた場合には、その風力によって回動し、ダンパー８の先端部（この場合は錘り７）は下面部材Ｙ３の一端からなるストッパー９に当接して換気路６を閉鎖する。
【００３４】
また、無風時あるいは比較的風力が弱い場合には、錘り７によってダンパー８は鉛直方向の状態を維持するので、ダンパー８の先端部（錘り７）とストッパー９とで形成される可変の開閉部１０は開状態を維持し、したがって、この状態では通常の順方向の換気流が生起され屋内の換気流はここを通過し自然に外に排出される。
【００３５】
ダンパー８が一定以上の強い逆風が吹いた場合に作動し、換気路６を閉鎖するようには、ヒンジ８Ａの軸支の具合や錘り７の重量を調節することによって自由に且つ容易に行うことができる。
【００３６】
なお、実際の施工においては、通常、換気路６の長手方向の両端のそれぞれにはキャップ（図示せず）をして遮蔽される。また、接続部材Ｚ５に設けられる開口部４の長手方向の間隔ピッチＰは特に制限はないが、例えば、１０〜５０ｃｍ程度から選択することができる。
また、ダンパー８の先端部（錘り７）とストッパー９との当接する部分のいずれか一方又は両方に衝撃吸収部材（図示せず）を設け、強風時ダンパー８がストッパー９に当接した際の衝撃を吸収できるようにすることも可能となる。衝撃吸収部材としては、ゴム、エラストマー、軟質プラスチックシート等が挙げられる。以下の実施例においても同様である。
【００３７】
このように、上面部材Ｘ２、下面部材Ｙ３、接続部材Ｚ５からなる棟換気用部材１は、アルミや樹脂の一体的な押出成形加工し、成形後、接続部材Ｚ５の開口部４のみを後加工によって穿設すれば、大幅なコストダウンが図られるので好ましい。
また、各部材Ｘ、Ｙ、Ｚからなる棟換気用部材１の断面形状は、強度が要求される土木基礎工事等に用いられるＩ型鋼又は□型鋼に類似し、したがってその長手方向の曲げ剛性には極めて強く、この上に葺土材や棟瓦などが積載された場合でも十分に耐えられる強度が保証される。
【００３８】
実施例２
本発明の実施例２における棟換気用部材１は、図２に示すように、幅が略同一寸法の平板状の上面部材Ｘ２と下面部材Ｙ３とはその間の間隔はＨ寸法隔てられて、平行状態にて対向し且つそれぞれ左右逆に偏芯し、その位置で開口部４を有する接続部材Ｚ５によって一体的に連結されている。
【００３９】
また、下面部材Ｙ３の一端にはコイルバネや板バネ等のスプリング材（図示せず）１１を内蔵したダンパー８を備え、該ダンパー８は外力が作用しない限り補助ストッパー１２に常時当接する当接片１３を有し、ヒンジ８Ａを介して軸支されている。そして所定以上の風力がダンパー８に作用した場合は回転軸を中心に時計回りに回動して上面部材Ｘ２の一端に垂設したストッパー９に当接し、換気路６を閉鎖するように構成されている。
【００４０】
この方式の構成によっても強い逆風が吹いた場合には、その風力によって回動し、ダンパー８の先端部はストッパー９に当接して換気路６を閉鎖し、無風時あるいは風力が弱い場合には、ダンパー８の先端部とストッパー９とで形成される可変の開閉部１０は開状態を維持する。したがって、この状態では通常の順方向の換気流が生起され屋内の換気流は自然の流れとなって外に排出され棟換気構造として機能する。
なお、ヒンジ８Ａ、ストッパー９、補助ストッパー１２等の各部材への固定はビス、溶接、接着等を利用した一般的な固定手段によって固着される。
【００４１】
実施例３
本発明の実施例３における棟換気用部材１は、図３に示すように、上面部材Ｘ２と下面部材Ｙ３とを開口部４を有する接続部材Ｚ５によって一体的に連結された略矩形状からなり、上面部材Ｘ２の一端を延設し、下部に錘り７を有する回動自在の振り子状のダンパー８がヒンジ８Ａを介して軸支された構成からなる。ダンパー８の作用効果は、実施例１の場合と同じである。このような棟換気用部材１は、例えば、穴開け加工を施した鋼板を折り曲げ加工して容易に作製することができる。
【００４２】
実施例４
本発明の実施例４における棟換気用部材１は、図４に示すように、段状の上面部材Ｘ２と段状の下面部材Ｙ３とを開口部４を有する接続部材Ｚ５によって一体的に連結され、下方矩形状部と上方矩形状部の２つの略矩形状部が曲折して連接された形状からなり、上方矩形状部の下方矩形状部寄りの上面部材Ｘ２に、錘り７を有する回動自在の振り子状のダンパー８がヒンジ８Ａを介して軸支された構成からなる。ダンパー８の作用効果は、実施例１の場合と同じである。このような下方矩形状部と上方矩形状部の２つの略矩形状部が曲折して連接された形状からなる棟換気用部材１は、棟瓦の内側の形状に沿った勾配を有するため、施工性に優れている。また、棟換気用部材１は、実施例３と同様、例えば、穴開け加工を施した鋼板を折り曲げ加工して容易に作製することができる。
【００４３】
実施例５
本発明の実施例５における棟換気用部材１は、図５（ａ）、（ｂ）に示すように、平板状で、且つその下面から延設されたＬ字状及び逆Ｌ字状の嵌着体１４を有する長尺の上面部材Ｘ２及び下面部材Ｙ３を嵌着体１４同士を対向させて配置し、平面視エ字状で幅Ｗの接続部材Ｚ５によって有機的に連結形成した形態であって、上面部材Ｘ２と下面部材Ｙ３とのそれぞれの嵌着体１４に、接続部材Ｚ５を、ピッチＰの間隔を空けながら複数個配置して固定される。接続部材Ｚ５を配設する際の間隔ピッチＰは特に制限はないが、例えば、１０〜５０ｃｍ程度から選択することができる。
【００４４】
そして、これら上面部材Ｘ２、下面部材Ｙ３及び左右の嵌着体１４によって形成される空間部を換気路６としている。なお、実際の施工においては、通常、換気路６の長手方向の両端のそれぞれにはキャップ（図示せず）によって遮蔽される。
【００４５】
また、上面部材Ｘ２の一端には下部に錘り７を有する回動自在の振り子状のダンパー８が軸支され、逆風が吹いた場合には、その風力によって回動し、ダンパー８の先端部（錘り７）は下面部材Ｙ３の一端からなるストッパー９に当接して換気路６を閉鎖する構成等については、前述の実施例１の構成と同一であり、以下の実施例においても同様である。
【００４６】
このように、上面部材Ｘ２、下面部材Ｙ３、接続部材Ｚ５からなる棟換気用部材１は、これまでのように各部材に換気口を加工して形成する必要がなく、したがって、これら上面部材Ｘ２、下面部材Ｙ３、接続部材Ｚ５はアルミや樹脂の押出成形加工が可能であり、これによって大幅なコストダウンが図られる。
また、上面部材Ｘ２及び下面部材Ｙ３には剛性を増大する方向に作用するＬ字状の嵌着体１４が形成されたうえ、これら２部品を剛性に優れた断面を有する接続部材Ｚ５により嵌着体１４を介して連結しているので、十分な強度が保証される。
なお、上面部材Ｘ２、下面部材Ｙ３、接続部材Ｚ５は、通常、嵌着体１４におけるカシメ加工、ビス、溶接、溶着、接着剤などにより接合されるが、煩雑さを避けるため、原則として図示しない。以下においても同様である。
【００４７】
実施例６
実施例６の棟換気用部材１は、図６に示すように、接続部材Ｚに係合する上面部材Ｘ２に設けた嵌着体１４がその両端に備えた点及びダンパー８を回動させるためのヒンジ８Ａをその嵌着体１４の下に設けた点の他は、実施例５に示した棟換気用部材と同様である。このように、嵌着体１４を両端に設けることにより、その部分の剛性強度は一層強化され、この端部に重い棟瓦の負荷が直接掛かってもその荷重に充分耐えられるというメリットがある。
【００４８】
実施例７
実施例７の棟換気用部材１は、図７に示すように、上面部材Ｘの嵌着体１４にヒンジ８Ａを介してダンパー８が設けられている点は、前述の実施例６と同様であり、下面部材Ｙ３は、この一側端から垂設する垂設部１５、その先端からさらに中心方向に水平に延設した水平部１６、この水平部１６の途中から下方に垂設した垂下部１７からなる折り返し部１８を形成し、一方、接続部材Ｚ５には、前記下面部材Ｙ３の水平部１６の先端部と嵌合する接続凹部１９と、垂設部１５と垂下部１７とで形成される下面凹部２０に嵌合する接続凸部２１とが形成され、長尺物である上面部材Ｘ２と下面部材Ｙ３、及び幅Ｗの接続部材Ｚ５とは、ビス２２によって一体的に固定される形態である。
【００４９】
このような形態によれば、前記の実施例と同様、棟換気用部材としての機能が十分に発揮されると共に、必要に応じ、一般に簡易な固定手段として用いられるビス２２止めが可能となり、しかも、下面部材Ｙ３の下方にビスを突設させることが避けられ、外観の点でも作業性の点でも良好である。また、矩形構造となることにより、剛性・強度がさらにアップするので、重い棟瓦の荷重に充分耐えられる。さらにまた、折り返し部１８の水平部１６が形成されたことによって、図５（ｂ）に示した換気路６を空気が通過する際のガイドとなり、その分流路抵抗が低減し効率的に換気作用が行われる（図１５、１６参照）。
【００５０】
実施例８
実施例８の棟換気用部材１は、図８に示すように、上面部材Ｘ２の表面の長手方向にレベル調整材掛止部２３を突設したことの他は、実施例７に示した棟換気用部材１と同様である。該レベル調整材掛止部２３を設けたことによって、上面部材Ｘ２に葺土や漆喰などを載置した後、棟瓦が配置され葺土や漆喰が押しつぶされても、これらの掛止部によって必要以上の横ずれが防止され、不用意に側面から落下することがなくなるという効果がある。なお、図８ではレベル調整材掛止部２３を３条設けているがこの条数に限定されるものではなく、必要に応じてその寸法や設ける位置を含め適宜定められる。また、突起を規則的又は不規則的に設けてレベル調整材掛止部とすることもできる。
【００５１】
実施例９
実施例９の棟換気用部材１は、図９に示すように、上面部材Ｘ２の一方の嵌着体１４から、棟瓦の内側に沿った勾配が形成されるように上面勾配部２４を延設し、この先端にヒンジ８Ａを介してダンパー８を設けたものであり、該上面勾配部２４を設けてこの先端にダンパー８が設けられている他は、実施例７に示した棟換気用部材１と同様である。なお、図示したように、ヒンジの一部は上面部材Ｘ２と一体にした押出成形加工も可能である。
【００５２】
そして、棟換気用部材１が載置される棟瓦の内側の構造の形態や大きさ寸法に対応させて、この上面勾配部２４の延設長さや延設方向・角度あるいは先端の折曲げ代等を適宜変更して対処することが可能であり、これによって、一層効率的な換気構造（図１５、１６参照）を実現することができる。
【００５３】
実施例１０
実施例１０の棟換気用部材１は、図１０に示すように、下面部材Ｙ３の長手方向の一端から延設した下側風雨制御板２５をダンパー８のストッパー９として利用したことの他は、実施例７に示した棟換気用部材１と同様である。そして、本実施例の形態においても、実施例７と同様、棟換気用部材１が載置される棟換気構造の形態や大きさ寸法に対応させて、この下側風雨制御板２５の延設長さや延設方向・角度等を適宜変更して対処することが可能であると共に、ストッパー９を広い面積に形成したり、またその表面に衝撃吸収部材（図示せず）を設け、強風時ダンパー８がストッパー９に勢い良く当接した際の衝撃を吸収できるようにすることも可能となる。
【００５４】
実施例１１
実施例１１の棟換気用部材１は、図１１に示すように、後述する棟木固定具（図１５参照）と係合され一種の自在継手の一方を構成する係合部２６を設けたことの他は、実施例９の図９に示した棟換気用部材１と同様である。その詳細については後述の実施例で明らかになるが、該係合部２６は略半円形状の凹部を形成してなり、これに係合する他方の棟木固定具の方には略半円形状の凸部が形成してなるもので、相互に係合することによって一種の遮蔽壁を形成すると共に、施工時における棟換気用部材１の不要の歪を吸収するように作用する。
【００５５】
実施例１２
実施例１２の棟換気用部材１は、図１２に示すように、実施例１１の図１１で説明した形態に、実施例８の図８に示したレベル調整材掛止部２３を備えたことの他は、実施例１１に示した棟換気用部材と同様であり、従って、その作用効果も前述のそれぞれの効果の全てを備えている。
【００５６】
実施例１３
実施例１３の棟換気用部材１は、図１３に示すように、レベル調整材掛止部２３、上面勾配部２４及び後述する棟木固定具との係合部２６を有する形態の棟換気用部材の下面部材Ｙ３の裏面及び上面部材Ｘ２の上面とにそれぞれ下面クッション材２７及び上面クッション材２８（変形前の様子を二点破線で示す）を設けたものであり、かかる両クッション材２７、２８を設けたことにより、棟瓦を葺く際のその姿勢の調整や施工が一層容易になるとともに、気密性が高められ風雨の侵入が防止される。
【００５７】
以上の実施例において、上面部材Ｘ２、下面部材Ｙ３などはその加工形態としては、アルミ又は樹脂の押出成形加工が好適であり、且つコスト的にも有利である。また、レベル調整材掛止部２３、上面勾配部２４及び係合部２６などは、本体ともいえる上面部材Ｘ２と一体的に加工することも、これらに溶接、溶着、接着剤等によって後付けすることも可能である。
【００５８】
実施例１４
実施例１４の棟換気用部材１は、図１４に示すように、実施例９、１１、１２に示したように、上面部材Ｘ２の一方の嵌着体１４から、棟瓦の内側に沿った勾配になるように上面勾配部２４を延設して形成すると共に、この勾配の略中程に設けたヒンジ８Ａを介してダンパー８を設け、また他方の嵌着体１４には、図１３に示した上方に開口した係合部２６に代え、下方に開口したオメガ字状係合部２９を備えた点の他は前述の実施例１２、１３の形態と同様である。
【００５９】
以上の如き本発明の棟換気用部材は、棟瓦と地瓦との隙間から換気する方式の棟換気構造に好適に用いられる。
以下、本発明の棟換気用部材を用い、その代表的な棟換気構造の実施例について説明する。
【００６０】
実施例１５
図１５に示すように、垂木や野地板などからなり両流れ屋根面を形成する屋根地３０の頂部には隙間が設けられ、この隙間は、屋根裏に滞留する汚染空気が上昇し最初に集合して通過する屋根換気通路３１となる。そして屋根換気通路３１を跨ぐように立設させた換気口３２を有する換気装置３３が設けられ、屋根地３０に釘等（図示せず）によって固定される。
【００６１】
更に、略Ｕ字状に形成されその両側から突設した断面視円形状の凸係合部３４を形成すると共に、棟木３５を支持する棟木固定具３６が設けられ、該棟木固定具３６と換気装置３３とは一体的に着設される。
【００６２】
一方、屋根地３０の頂部付近に桟木３７を固定した後、この桟木３７に沿って地瓦３８が掛止される。また、この地瓦３８の上端縁に、前述の実施例１３、１４で説明した下面クッション材２７を敷設した後（下面クッション材２７を予め貼設している場合は、敷設作業は省略）、前述の実施例１２に示したダンパー８を備えた棟換気用部材１を準備しておき、該棟換気用部材１に設けられた係合部２６を棟木固定具３６の凸係合部３４に係合させて配設する。
【００６３】
続いて、棟木固定具３６に棟木３５を嵌入してビス等の固定手段（図示せず）によって固定する。更に、上面部材Ｘ２に上面クッション２８を敷設し（上面クッション材２８を予め貼設している場合は、敷設作業は省略）、最後に棟瓦３９を葺設し、瓦の焼成工程時などに生じる捻れや寸法のバラツキによる位置や傾き等の狂いを調整したうえ該棟瓦３９を棟木３５にビス、釘等の固定手段（図示せず）によって固定する。
【００６４】
本実施例の構成によれば、とりわけ、棟換気用部材１に係合部２６を備え、該係合部２６が棟木固定具３６に設けた凸係合部３４と係合すると共に、棟換気用部材１の上面部材Ｘ２、下面部材Ｙ３に、それぞれのクッション材２７、２８を敷設したことによって、棟瓦３９をその位置づれや傾き等の姿勢を調整しようとすると、棟換気用部材１が係合部２６を支点にして所定範囲内で回動し、ある程度は勝手に動いて全体が均衡するように作用する。すなわち、施工中に生起する不用な応力等は、係合部２６の回動作用とクッション材により吸収されるので棟換気用部材１、棟瓦３９、地瓦３８等には無理な力が掛からずに施工でき、また気密性が確保されるという効果がある。
【００６５】
上記棟換気構造にあっては、屋根地３０の頂部に向かって下から上昇してくる汚染空気は矢印Ｋで示したように屋根換気通路３１を通過した後、換気口３２を通過し、さらに換気路６を通過し、最後に棟換気用部材１のダンパー８の先端と地瓦３８とで形成される排出口４０から外へ排出される（気流の流れを実線矢印で示す）。
一方、台風時のように外の風力が強く、逆流して風や雨が排出口４０から侵入しようとする場合には、ダンパー８は換気路６を即座に閉鎖する一種の逆止弁のように作用し、風雨の侵入を遮断する。
【００６６】
実施例１６
図１６に示したように、前述の実施例１５における上面部材Ｘ２の上面クッション２８の替わりに、レベル調整材としてモルタルや漆喰あるいは粘土等の葺土４１を充填した点、並びに略Ｕ字状に形成された棟木固定具３６の両側から突設し断面視円形状の凸係合部３４の向き、及びこの凸係合部３４と係合する棟換気用部材１の係合部として図１４に示したオメガ字状係合部２９を設けた点の他は実施例１５の形態と同一である。
また、本実施例のように、モルタルや漆喰あるいは粘土等の葺土３２を利用した場合には、それが保有する粘性、密着性、硬化性等の性質により、棟瓦３０の位置や傾き等の姿勢調整が一層確実に、且つ安定的に施工できるというメリットの他、経年変化が無く耐久性に優れるという特徴がある。
【００６７】
実施例１７
図１７は、従来の技術の説明で使用した図１８の構成と同様の換気装置３３、即ち、屋根換気通路３１を跨ぐように立設させた第１換気口４２を有する補助部材４３と、この補助部材４３の外側に隙間を設けて立設すると共に、第２換気口４４が穿設され、且つ中央に棟木３５を支持する棟木固定具３６とからなる換気装置３３に、前述の実施例１６と同じ凸係合部３４を設けた形態を示したものである。
このように、屋根地３０の頂部に設けられる従来タイプの換気装置３３でも、凸係合部３４を装着するように改良すれば、前述の実施例１５、１６で説明した場合と同様の棟換気構造が得られる。
【００６８】
【発明の効果】
叙上のように、本発明の棟換気用部材及びこれを用いた棟換気構造によれば次のような特徴及び利点を有する。
【００６９】
本発明の棟換気用部材及びこれを用いた棟換気構造は、その構成部材ＸとＹとを互いに対向させたうえ開口部を有する接続部材Ｚによって連結して屋内からの換気流が通過する換気路を形成すると共に、通常の換気流の流れとは逆方向に流そうとする風力が発生した際には、その風力によって回動して換気路を閉鎖するダンパーを備えたことにより、逆風の時には、該ダンパーは即座に回動して一種の逆止弁のように作用し、これによって、屋内への風雨の侵入を完全に防止することが可能となる。
【００７０】
また、本発明の棟換気用部材は、例えば、穴開け加工を施した鋼板を折り曲げ加工して作製したり、また、例えば、上面部材Ｘをアルミ又は樹脂材料を押出成形加工し、下面部材Ｙと接続部材Ｚとを穴開け加工を施した鋼板を折り曲げ加工して作製し、複合化してもよいが、本発明の第１の棟換気用部材は、各部材Ｘ、Ｙ、Ｚを連結状態でアルミ又は樹脂材料を押出成形加工によって得、接続部材Ｚの開口部のみを後加工することにより、容易に且つ安価に棟換気用部材を製造することができる。
【００７１】
また、本発明の第２の棟換気用部材は、隣接する接続部材Ｚと接続部材Ｚとの間に空間部を形成してこれを換気路することにより、開口部を穿設加工する必要がなく、したがって、押出成形により一層容易に且つ安価に棟換気用部材を製造することができる。
【００７２】
また、下面部材Ｙに折り返し部を延設したことにより、上面部材Ｘ、下面部材Ｙ及び接続部材Ｚの固定を、必要に応じ、ビスによっても簡単に固着できるので施工性に優れ、また、矩形構造となるので構造強度が大巾に向上する。
【００７３】
また、上面部材Ｘの表面の長手方向にレベル調整材掛止部を突設したことにより、ここに葺土や漆喰等を置いて棟瓦や棟換気用部材の姿勢や位置を制御する際、葺土や漆喰等を載置し易く、また、はみ出さないので好都合である。
【００７４】
更に、棟換気用部材を形成する上面部材Ｘの端部に棟木固定具との係合部を設けたことにより、棟換気用部材を配設して葺土等を置きながら棟瓦を葺く際には、該係合部を支点に、棟換気用部材が回動して棟換気構造全体にわたっての不要な歪・応力を解消する働きがあり、よって耐久信頼性が一層向上する。
【図面の簡単な説明】
【図１】（ａ）本発明の実施例１における棟換気用部材の構成を示す断面図である。
（ｂ）同部材のＡ−Ａ断面図である。
【図２】本発明の実施例２における棟換気用部材の構成を示す断面図である。
【図３】本発明の実施例３における棟換気用部材の構成を示す断面図である。
【図４】本発明の実施例４における棟換気用部材の構成を示す断面図である。
【図５】（ａ）本発明の実施例５における棟換気用部材の構成を示す断面図である。
（ｂ）同部材のＡ−Ａ断面図である。
【図６】本発明の実施例６における棟換気用部材の構成を示す断面図である。
【図７】本発明の実施例７における棟換気用部材の構成を示す断面図である。
【図８】本発明の実施例８における棟換気用部材の構成を示す断面図である。
【図９】本発明の実施例９における棟換気用部材の構成を示す断面図である。
【図１０】本発明の実施例１０における棟換気用部材の構成を示す断面図である。
【図１１】本発明の実施例１１における棟換気用部材の構成を示す断面図である。
【図１２】本発明の実施例１２における棟換気用部材の構成を示す断面図である。
【図１３】本発明の実施例１３における棟換気用部材の構成を示す断面図である。
【図１４】本発明の実施例１４における棟換気用部材の構成を示す断面図である。
【図１５】本発明の実施例１５における棟換気構造を示す断面図である。
【図１６】本発明の実施例１６における棟換気構造を示す断面図である。
【図１７】本発明の実施例１７における棟換気構造の一部を示す断面図である。
【図１８】従来の棟換気構造を示す断面図である。
【符号の説明】
１  棟換気用部材
２  上面部材Ｘ
３  下面部材Ｙ
４  開口部
５  接続部材Ｚ
６  換気路
７  錘り
８  ダンパー
８Ａ  ヒンジ（蝶番）
９  ストッパー
１０  開閉部
１１  スプリング材
１２  補助ストッパー
１３  当接片
１４  嵌着体
１５  垂設部
１６  水平部
１７  垂下部
１８  折り返し部
１９  接続凹部
２０  下面凹部
２１  接続凸部
２２  ビス
２３  レベル調整材掛止部
２４  上面勾配部
２５  下側風雨制御板
２６  係合部
２７  下面クッション材
２８  上面クッション材
２９  オメガ字状係合部
３０  屋根地
３１  屋根換気通路
３２  換気口
３３  換気装置
３４  凸係合部
３５  棟木
３６  棟木固定具（棟木支持部材）
３７    桟木
３８  地瓦（桟瓦）
３９  棟瓦
４０  排気口
４１  葺土
４２  第１換気口
４３  補助部材
４４  第２換気口
４５  密封部材
４６  第３換気口
４７  第４換気口
４８  通路形成部材
４９  固定具
５０  換気通路
５１  瓦先端部
【図１】
2004324320.tif 000003
【図２】
2004324320.tif 000004
【図３】
2004324320.tif 000005
【図４】
2004324320.tif 000006
【図５】
2004324320.tif 000007
【図６】
2004324320.tif 000008
【図７】
2004324320.tif 000009
【図８】
2004324320.tif 000010
【図９】
2004324320.tif 000011
【図１０】
2004324320.tif 000012
【図１１】
2004324320.tif 000013
【図１２】
2004324320.tif 000014
【図１３】
2004324320.tif 000015
【図１４】
2004324320.tif 000016
【図１５】
2004324320.tif 000017
【図１６】
2004324320.tif 000018
【図１７】
2004324320.tif 000019
【図１８】
2004324320.tif 000020